(57)【特許請求の範囲】
【請求項１】
互いに直交する長手方向、幅方向、及び厚さ方向を有し、吸収体を備える吸収性物品であって、
前記吸収体の前記幅方向における中央部に、前記厚さ方向の肌側に突出して折れ曲がるように誘導する折り誘導部が前記長手方向に沿って設けられ、
前記折り誘導部は、前記吸収体が前記厚さ方向に圧搾された部分であり、
前記折り誘導部は、少なくとも、着用者の膣口が位置する領域に設けられており、
前記吸収体における前記長手方向の後側の１／３の領域のうちの、前側半分の領域を、境界部としたとき、
前記境界部のうち、前記幅方向における前記中央部に低剛性部が設けられるとともに、前記低剛性部の前記幅方向の両側に前記低剛性部よりも剛性の高い高剛性部が設けられており、
前記境界部のうちの前記幅方向の両側部に、一対の切欠き部が設けられており、
前記低剛性部の前記長手方向の位置と、前記一対の切欠き部の前記長手方向の位置とが、少なくとも一部重なっており、
前記厚さ方向の非肌側面に粘着部を有し、
前記厚さ方向の平面視で、前記低剛性部と前記粘着部とが重なっておらず、
前記折り誘導部は、少なくとも、着用者の膣口が位置する領域に設けられていることを特徴とする吸収性物品。
【請求項２】
請求項１に記載の吸収性物品であって、
前記長手方向における前記低剛性部の長さは、前記長手方向の少なくとも一方側に前記低剛性部に隣接する前記吸収体の部位の厚さ以上であることを特徴とする吸収性物品。
【請求項３】
請求項１又は請求項２に記載の吸収性物品であって、
前記吸収体における前記長手方向の前側の１／３の領域のうちの、後側半分の領域を、前側境界部としたとき、
前記前側境界部のうち、前記幅方向における中央部に第２の低剛性部が設けられるとともに、前記第２の低剛性部の前記幅方向の両側に前記第２の低剛性部よりも剛性の高い第２の高剛性部が設けられていることを特徴とする吸収性物品。
【請求項４】
請求項３に記載の吸収性物品であって、
前記低剛性部の形状と前記第２の低剛性部の形状とが異なることを特徴とする吸収性物品。
【請求項５】
請求項４に記載の吸収性物品であって、
前記低剛性部の形状は、前記長手方向に細長い形状であることを特徴とする吸収性物品。
【請求項６】
請求項４又は請求項５に記載の吸収性物品であって、
前記第２の低剛性部の形状は、前記幅方向に長く、前記長手方向の前側に凸となる形状であることを特徴とする吸収性物品。
【請求項７】
請求項３から請求項６の何れか１項に記載の吸収性物品であって、
前記幅方向に延出する一対のウィング部を有し、
前記ウィング部は前記厚さ方向の非肌側面にウィング粘着部を有し、
前記低剛性部は、前記長手方向における前記ウィング粘着部の後側の端よりも後側に設けられ、
前記第２の低剛性部は、前記長手方向における前記ウィング粘着部の前側の端よりも前側に設けられていることを特徴とする吸収性物品。
【請求項８】
請求項１から請求項７の何れか１項に記載の吸収性物品であって、
前記吸収性物品は、包装状態において、前記幅方向に長い折り位置にて折られており、
前記厚さ方向の平面視で、前記低剛性部の少なくとも一部と前記折り位置とが重なっていることを特徴とする吸収性物品。
【請求項９】
請求項１から請求項８の何れか１項に記載の吸収性物品であって、
前記吸収体は液体吸収性繊維を有し、
前記吸収体には、前記厚さ方向に凹んだ部位であり、隣接する部位に比べて前記液体吸収性繊維の密度が高い凹部が設けられているが、前記低剛性部には前記凹部が設けられていないことを特徴とする吸収性物品。
【請求項１０】
請求項１から請求項９の何れか１項に記載の吸収性物品であって、  
前記吸収体は、液体吸収性繊維と、前記液体吸収性繊維よりも前記厚さ方向の肌側に上層シートと、前記液体吸収性繊維よりも前記厚さ方向の非肌側に下層シートとを有し、
前記低剛性部では、前記液体吸収性繊維、前記上層シート、及び前記下層シートが存在しないことを特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１には、吸収性積層体の縦横中央域において肌非当接面側に、疎水性パネル部材と、これを収縮させて肌当接面側へ凸形に変形させる弾性伸縮部材とを備える生理用ナプキンが開示されている。このような生理用ナプキンによれば、吸収性積層体の縦横中央域が肌当接面側へ凸形に変形し、着用者の陰部に密着する。
【先行技術文献】
【特許文献】
【０００３】
【特許文献１】特開平１１−９９１７０号公報
【発明の概要】
【発明が解決しようとする課題】
【０００４】
しかし、上記特許文献１の生理用ナプキンでは、縦横中央域の凸形の変形に連動して縦方向の後域も凸形に変形してしまう。つまり、縦方向の後域が着用者の臀部に適さない形状に変形してしまう。  
本発明は、上記のような問題に鑑みてなされたものであって、着用者の各部（股間部や臀部）に適した形状に変形する吸収性物品を提供することを目的とする。
【課題を解決するための手段】
【０００５】
上記目的を達成するための主たる発明は、
互いに直交する長手方向、幅方向、及び厚さ方向を有し、吸収体を備える吸収性物品であって、
前記吸収体の前記幅方向における中央部に、前記厚さ方向の肌側に突出して折れ曲がるように誘導する折り誘導部が前記長手方向に沿って設けられ、
前記折り誘導部は、前記吸収体が前記厚さ方向に圧搾された部分であり、
前記折り誘導部は、少なくとも、着用者の膣口が位置する領域に設けられており、
前記吸収体における前記長手方向の後側の１／３の領域のうちの、前側半分の領域を、境界部としたとき、
前記境界部のうち、前記幅方向における前記中央部に低剛性部が設けられるとともに、前記低剛性部の前記幅方向の両側に前記低剛性部よりも剛性の高い高剛性部が設けられており、
前記境界部のうちの前記幅方向の両側部に、一対の切欠き部が設けられており、
前記低剛性部の前記長手方向の位置と、前記一対の切欠き部の前記長手方向の位置とが、少なくとも一部重なっており、
前記厚さ方向の非肌側面に粘着部を有し、
前記厚さ方向の平面視で、前記低剛性部と前記粘着部とが重なっておらず、
前記折り誘導部は、少なくとも、着用者の膣口が位置する領域に設けられていることを特徴とする吸収性物品である。
本発明の他の特徴については、本明細書及び添付図面の記載により明らかにする。
【発明の効果】
【０００６】
本発明によれば、着用者の各部（股間部や臀部）に適した形状に変形する吸収性物品を提供することができる。
【図面の簡単な説明】
【０００７】
【図１】ナプキンを厚さ方向の肌側から見た平面図である。
【図２】ナプキンを厚さ方向の非肌側から見た平面図である。
【図３】ナプキンの長手方向中央部の概略断面図である。
【図４】吸収体を説明するナプキンの概略平面図である。
【図５】ナプキン着用時の吸収体の変形を説明する概略斜視図である。
【図６】ナプキン着用時の吸収体の変形を説明する概略断面図である。
【図７】図７Ａから図７Ｃは前側欠損部周辺の変形を説明する概略断面図である。
【発明を実施するための形態】
【０００８】
本明細書及び添付図面の記載により、少なくとも以下の事項が明らかとなる。  
互いに直交する長手方向、幅方向、及び厚さ方向を有し、吸収体を備える吸収性物品であって、  前記長手方向における前記吸収体の中央領域の前記幅方向における中央部に、前記厚さ方向の肌側に突出して折れ曲がるように誘導する折り誘導部が前記長手方向に沿って設けられ、前記長手方向における前記吸収体の前記中央領域と後方領域の境界部のうち、前記幅方向における前記中央部に低剛性部が設けられるとともに、前記低剛性部の前記幅方向の両側に前記低剛性部よりも剛性の高い高剛性部が設けられていることを特徴とする吸収性物品である。
【０００９】
このような吸収性物品によれば、吸収体の長手方向における中央領域のうち幅方向における中央部が折り誘導部によって肌側に突出するため、着用者の排泄口（膣口等）に密着し易い。また、幅方向における中央部の肌側に突出する変形が吸収体の後方領域に伝わってしまうことを低剛性部によって抑制でき、吸収体の後方領域が着用者の臀部に沿った面形状に変形し易い。そのため、吸収性物品は着用者の股間部及び臀部に適した形状に変形する。また、高剛性部によって吸収性物品の後方領域が折れ難くなり、吸収性物品が扱い易くなる。
【００１０】
かかる吸収性物品であって、前記長手方向における前記低剛性部の長さは、前記長手方向の少なくとも一方側に前記低剛性部に隣接する前記吸収体の部位の厚さ以上であることを特徴とする吸収性物品である。
【００１１】
吸収性物品の長手方向における中央領域に対して後方領域が立ち上がる際に、吸収体よりも下層のシートが伸ばされるが、このような吸収性物品によれば、後方領域が立ち上がるために必要な下層のシートの長さを確保できる。そのため、吸収性物品の後方領域が立ち上がり易く、着用者の身体にフィットし易い。
【００１２】
かかる吸収性物品であって、前記長手方向における前記吸収体の前記中央領域と前方領域の境界部のうち、前記幅方向における中央部に第２の低剛性部が設けられるとともに、前記第２の低剛性部の前記幅方向の両側に前記第２の低剛性部よりも剛性の高い第２の高剛性部が設けられていることを特徴とする吸収性物品である。
【００１３】
このような吸収性物品によれば、幅方向における中央部において肌側に突出する変形が吸収体の前方領域に伝わってしまうことを第２の低剛性部によって抑制でき、吸収体の前方領域が着用者の下腹部に沿った面形状に変形し易い。そのため、吸収性物品は着用者の下腹部及び股間部に適した形状に変形する。また、高剛性部によって吸収性物品の前方領域が折れ難くなり、吸収性物品が扱い易くなる。
【００１４】
かかる吸収性物品であって、前記低剛性部の形状と前記第２の低剛性部の形状とが異なることを特徴とする吸収性物品である。
【００１５】
このような吸収性物品によれば、吸収性物品が着用者の下腹部及び臀部に適した形状に変形するように、吸収体の前方領域及び後方領域を変形させることができる。
【００１６】
かかる吸収性物品であって、前記低剛性部の形状は、前記長手方向に細長い形状であることを特徴とする吸収性物品である。
【００１７】
このような吸収性物品によれば、吸収体の後方領域が、着用者の張り出ている臀部に沿って湾曲した面形状に変形し易く、吸収性物品の後方領域が着用者の臀部に適した形状に変形する。
【００１８】
かかる吸収性物品であって、前記第２の低剛性部の形状は、前記幅方向に長く、前記長手方向の前側に凸となる形状であることを特徴とする吸収性物品である。
【００１９】
このような吸収性物品によれば、吸収体の前方領域が非肌側に凸となるように変形し易く、吸収性物品の前方領域が着用者の下腹部（恥骨付近の膨らんだ部位）を包み込むようにフィットする。
【００２０】
かかる吸収性物品であって、前記幅方向に延出する一対のウィング部を有し、前記ウィング部は前記厚さ方向の非肌側面に粘着部を有し、前記低剛性部は、前記長手方向における前記粘着部の後側の端よりも後側に設けられ、前記第２の低剛性部は、前記長手方向における前記粘着部の前側の端よりも前側に設けられていることを特徴とする吸収性物品である。
【００２１】
このような吸収性物品によれば、着用者の股間部と臀部の境界部に低剛性部が位置し易く、着用者の下腹部と股間部の境界部に第２の低剛性部が位置し易く、着用者の下腹部、股間部、及び臀部の各境界部にて吸収体の変形を切り換えられる。
【００２２】
かかる吸収性物品であって、前記吸収性物品は前記厚さ方向の非肌側面に粘着部を有し、前記厚さ方向の平面視で、前記低剛性部と前記粘着部とが重なっていないことを特徴とする吸収性物品。
【００２３】
このような吸収性物品によれば、低剛性部が位置する吸収性物品の部位は、下着等に固定されないので、変形の自由度が高い。よって、吸収体の長手方向における中央領域のうち幅方向における中央部の肌側に突出する変形が後方領域に伝わってしまうことを一層抑制できる。
【００２４】
かかる吸収性物品であって、前記吸収性物品は、包装状態において、前記幅方向に長い折り位置にて折られており、前記厚さ方向の平面視で、前記低剛性部の少なくとも一部と前記折り位置とが重なっていることを特徴とする吸収性物品である。
【００２５】
このような吸収性物品によれば、折り位置にて吸収性物品の後方領域が立ち上がり易いため、その立ち上がり起点、つまり着用者の股間部と臀部の境界部に低剛性部が位置し易く、その境界部にて吸収体の変形を切り換えられる。
【００２６】
かかる吸収性物品であって、前記吸収体の前記中央領域と前記後方領域の境界部のうち前記幅方向の両側部に一対の第３の低剛性部が設けられるとともに、各前記第３の低剛性部の前記長手方向の両側に前記第３の低剛性部よりも剛性の高い第３の高剛性部が設けられ、前記低剛性部の前記長手方向の位置と、前記第３の低剛性部の前記長手方向の位置とが、少なくとも一部重なっていることを特徴とする吸収性物品である。
【００２７】
このような吸収性物品によれば、第３の低剛性部によって吸収性物品の後方領域が立ち上がり易いため、その立ち上がり起点、つまり着用者の股間部と臀部の境界部に低剛性部が位置し易く、その境界部にて吸収体の変形を切り換えられる。
【００２８】
かかる吸収性物品であって、前記吸収体は液体吸収性繊維を有し、前記吸収体には、前記厚さ方向に凹んだ部位であり、隣接する部位に比べて前記液体吸収性繊維の密度が高い凹部が設けられているが、前記低剛性部には前記凹部が設けられていないことを特徴とする吸収性物品である。
【００２９】
このような吸収性物品によれば、吸収体よりも上層のシートや下層のシートが伸び縮みし易く、着用者の各部に適した形状に変形し易い。また、低剛性部の剛性をより低くできるので、吸収体の長手方向における中央領域のうち幅方向における中央部の肌側に突出する変形が後方領域に伝わってしまうことを一層抑制できる。
【００３０】
かかる吸収性物品であって、前記吸収体は、液体吸収性繊維と、前記液体吸収性繊維よりも前記厚さ方向の肌側に上層シートと、前記液体吸収性繊維よりも前記厚さ方向の非肌側に下層シートとを有し、前記低剛性部では、前記液体吸収性繊維、前記上層シート、及び前記下層シートが存在しないことを特徴とする吸収性物品である。
【００３１】
このような吸収性物品によれば、低剛性部の剛性をより低くできるので、吸収体の長手方向における中央領域のうち幅方向における中央部の肌側に突出する変形が後方領域に伝わってしまうことを一層抑制できる。
【００３２】
以下、本発明に係る吸収性物品として生理用ナプキンを例に挙げて実施形態を説明する。
【００３３】
＜生理用ナプキン１の基本的構成＞
図１は、生理用ナプキン１（以下ナプキン）を厚さ方向の肌側から見た平面図である。図２は、ナプキン１を厚さ方向の非肌側から見た平面図である。図３は、ナプキン１の長手方向中央部の概略断面図である。ナプキン１は、互いに直交する長手方向、幅方向、及び厚さ方向を有する。また、ナプキン１の長手方向において、着用者の下腹部に当接する側を「前側」と呼び、着用者の臀部に当接する側を「後側」と呼ぶ。また、ナプキン１の厚さ方向において、着用者に当接する側を「肌側」と呼び、その反対側を「非肌側」と呼ぶ。
【００３４】
図３に示すように、ナプキン１では、厚さ方向の肌側から順に、一対のサイドシート２と、トップシート３と、セカンドシート４と、吸収体１０と、バックシート５が積層されている。これらの各部材２，３，４，１０，５は厚さ方向に隣接する部材と不図示の接着剤で接合されている。また、ナプキン１は、吸収体１０が設けられたナプキン本体部２０と、ナプキン本体部２０の長手方向中央領域から幅方向の両外側に延出した一対のウィング部３０とを有する。但しナプキン１がウィング部３０を有さなくてもよい。
【００３５】
トップシート３は、液透過性のシートであり、エアスルー不織布等を例示できる。バックシート５は、液不透過性のシートであり、ポリエチレン（ＰＥ）の樹脂フィルム等を例示できる。サイドシート２は、液透過性のシートであっても液不透過性のシートであってもよく、トップシート３と同じエアスルー不織布等を例示できる。トップシート３及びバックシート５は、平面サイズが吸収体１０よりも大きく、吸収体１０の平面全体を覆っている。一対のサイドシート２は、トップシート３の幅方向の両側部から幅方向の外側に延出しており、バックシート５と共に一対のウィング部３０を形成する。
【００３６】
セカンドシート４は、液透過性のシートであり、トップシート３と同じエアスルー不織布等を例示できる。セカンドシート４は、吸収体１０の肌側面上に設けられ、経血等の排泄物の逆戻り防止、排泄物の拡散向上、及びクッション性の向上等の役割を果たす。但しナプキン１がセカンドシート４を有さなくてもよい。
【００３７】
ナプキン本体部２０の厚さ方向における非肌側面（つまりバックシート５の非肌側面）には、本体部用粘着部２１が設けられている。ナプキン１の使用時に本体部用粘着部２１は下着等の肌側面に貼り付けられ、これによりナプキン１は下着等に固定される。図２に示す本体部用粘着部２１では、長手方向に長辺を有する長方形状の３個の粘着部が長手方向に間隔を空けて並ぶと共に、その３個の粘着部の列が幅方向に間隔を空けて８列並ぶ。
【００３８】
同様に各ウィング部３０の厚さ方向における非肌側面（つまりバックシート５の非肌側面）には、ウィング部用粘着部３１が設けられている。ナプキン１の使用時にウィング部３０は非肌側に折り曲げられ、ウィング部用粘着部３１は下着等の非肌側面に貼り付けられ、これによりナプキン１は下着等に固定される。図２に示すウィング部用粘着部３１は長手方向に長辺を有する長方形状の粘着部である。なお、上記の本体部用粘着部２１及びウィング部用粘着部３１の形状、数、大きさ等は図２に示すものに限らない。
【００３９】
吸収体１０は、排泄物を吸収して内部に保持する部材であり、吸収性コア１２と、吸収性コア１２よりも厚さ方向の肌側に上層シート１１と、吸収性コア１２よりも厚さ方向の非肌側に下層シート１３とを有する。吸収性コア１２は、液体吸収性繊維を有するものであればよく、パルプ繊維等の液体吸収性繊維に高吸収性ポリマー（所謂ＳＡＰ）を含有するものを例示できる。上層シート１１は、液透過性のシートであり、ティッシュペーパー等を例示できる。下層シート１３は、液透過性のシートであっても液不透過性のシートであってもよく、ＳＭＳ（スパンボンド／メルトブローン／スパンボンド）不織布等を例示できる。吸収性コア１２、上層シート１１及び下層シート１３は、平面形状が同じであり、厚さ方向に積層される。各部材１１〜１３は接着剤によって互いに接合されていても接合されていなくてもよいとする。
【００４０】
また、吸収体１０には、厚さ方向の肌側に突出して折れ曲がるように誘導する折り誘導部１４が設けられている。更に吸収体１０には、後側欠損部１５、前側欠損部１６、一対の後側切欠き部１７、及び一対の前側切欠き部１８が設けられている。これらの部位１５〜１８は、吸収性コア１２と上層シート１１と下層シート１３とが存在しない部位であり、他の部位に比べて剛性の低い部位である（詳細は後述）。
【００４１】
また、ナプキン１には、厚さ方向の肌側から非肌側に向かって凹んだ部位であり、隣接する部位に比べて液体吸収性繊維の密度の高い圧搾部４０（凹部）が複数設けられている。圧搾部４０では、トップシート３、セカンドシート４、及び吸収体１０の厚さ方向の全域が、厚さ方向の肌側から圧搾（エンボス加工）され、接合一体化されている。また、圧搾部４０とそれに隣接する部位とで液体吸収性繊維の目付が等しいとし、圧搾部４０では液体吸収性繊維の圧搾によってその密度が高くなったとする。なお、上記に限らず、吸収体１０にのみ圧搾部４０を設けたり、トップシート３から吸収性コア１２の厚さ方向肌側の一部までにしか圧搾部４０を設けなかったり、バックシート５から吸収体１０に圧搾部４０を設けたりしてもよい。
【００４２】
複数の圧搾部４０は、吸収体１１の長手方向中央領域に設けられている。詳しくは、長手方向において後側欠損部１５よりも前側であり前側欠損部１６よりも後側に複数の圧搾部４０が設けられている。そして、複数の圧搾部４０は、隣り合う圧搾部４０の間隔が狭い線状パターン４１と、隣り合う圧搾部４０の間隔が広い点状パターン４２とを形成している。線状パターン４１は長手方向に延びた線状のパターンであり、吸収体１０の幅方向の両側部に設けられている。点状パターン４２は、幅方向における一対の線状パターン４１の間に設けられている。点状パターン４２では、長手方向に間隔を空けて並んだ圧搾部４０の列が幅方向に並ぶと共に長手方向にずれて配置されている、つまり千鳥状に圧搾部４０が配置されている。但し上記に限らず、吸収体１０の前方領域や後方領域に圧搾部４０が設けられていてもよい。また圧搾部４０のパターンも図１に示すものに限らない。
【００４３】
なお、圧搾部４０とそれに隣接する部位との液体吸収性繊維の密度の比較は周知の方法で行えばよい。例えば、吸収体１０を厚さ方向に切った断面を電子顕微鏡等により撮影し、圧搾部４０と隣接する部位とで繊維の密度差を目視で比較したり、各部位の繊維の本数で比較したりするとよい。その他、圧搾部４０と隣接する部位とを吸収体１０から切り出して、各部位の質量を面積で除することで坪量（ｇ／ｃｍ２）を算出し、その坪量を厚さで除することで繊維密度（ｇ／ｃｍ３）を算出して比較してもよい。
【００４４】
＜吸収体１０について＞
図４は吸収体１０を説明するナプキン１の概略平面図である。図５はナプキン１着用時の吸収体１０の変形を説明する概略斜視図である。図６はナプキン１着用時の吸収体１０の変形を説明する概略断面図である。図７Ａから図７Ｃは前側欠損部１６周辺の変形を説明する概略断面図である。
【００４５】
吸収体１０には、長手方向における中央領域の幅方向における中央部に、厚さ方向の肌側に突出して折れ曲がるように誘導する折り誘導部１４が長手方向に沿って設けられている。そのため、ナプキン１の着用時に、着用者の脚の挟み込みの力が作用すると、吸収体１０の長手方向中央領域は、図５や図６に示すように、幅方向の側部から中央部に向かって肌側に凸となる形状に変形する。そのため、ナプキン１の長手方向中央領域が着用者の排泄口（膣口）に密着し易い。よって、ナプキン１では、吸収体１０による排泄物（経血等）の吸収性が向上すると共に、排泄物の漏れを抑制でき、また、着用者に良好なフィット感を付与できる。
【００４６】
折り誘導部１４は、図１に示すように、長手方向における吸収体１０の前端１０ａから後側欠損部１５の前端１５ａまでの範囲に亘って設けられている。但し折り誘導部１４を設ける範囲はこれに限らず、少なくとも吸収体１０の長手方向中央領域、つまり、着用者の排泄口が位置する領域に設けられていればよい。例えば、ナプキン１のウィング部３０は下着のクロッチ部に取り付けられ、長手方向においてウィング部３０と重なる吸収体１０の部位に着用者の排泄口が位置し易い。そのため、長手方向においてウィング部３０と重なる位置に折り誘導部１４が設けられていることが好ましい。
【００４７】
吸収体１０に折り誘導部１４を設ける方法としては、吸収体１０の幅方向中央部に、吸収体１０を厚さ方向に圧搾した複数の圧搾部（エンボス）を長手方向に沿って設けたり、長手方向に連続した溝状の圧搾部を設けたりする方法を例示できる。その他、吸収体１０の幅方向中央部の液体吸収性繊維の目付を長手方向に沿って小さくしたり、製造段階において吸収体１０を長手方向に沿って予め折ったりする方法を例示できる。
【００４８】
また、吸収体１０の長手方向中央領域では、着用者の脚の挟み込み力や、下着の脚繰りに配されたゴムの伸縮力により、幅方向の側部が立ち上がり易い。特に本実施形態のナプキン１では、幅方向の側部に長手方向に延びた圧搾部４０の線状パターン４１が設けられているため、線状パターン４１を起点に線状パターン４１よりも幅方向の外側の部位が立ち上がり易い。つまり、吸収体１０の長手方向中央領域の断面形状は図６に示すようにＷ字状に変形し易い。そのため、吸収体１０の幅方向の側部で排泄物を堰き止めることができ、排泄物の横漏れを抑制できる。
【００４９】
更に、吸収体１０には、長手方向における中央領域と後方領域の境界部１０Ａから後端１０ｂにかけて、長手方向に長いスリット状の切れ込みである「後側欠損部１５（低剛性部）」が設けられている。後側欠損部１５は、幅方向において折り誘導部１４と重なる位置、つまり吸収体１０の幅方向における中央部に設けられている。そのため、折り誘導部１４による吸収体１０の長手方向中央領域の変形、つまり幅方向の中央部が肌側に突出する変形が、後側欠損部１５にて断たれ、吸収体１０の後方領域に伝わることを抑制できる。換言すると、後側欠損部１５は、剛性が低く、変形の自由度が高いため、吸収体１０の長手方向中央領域の変形や後方領域の変形に連動し難い。そのため、吸収体１０の長手方向中央領域の変形と後方領域の変形を後側欠損部１５にて切り換えられる。よって、吸収体１０の後方領域では幅方向の中央部が肌側に突出して折れ曲がらず、着用者の臀部に沿った面形状に変形する。ゆえに、ナプキン１では、着用者の臀部との間に隙間が生じ難く、排泄物の漏れを抑えられ、着用者に良好なフィット感を付与できる。
【００５０】
なお、後側欠損部１５が吸収体１０の後端１０ｂまで延びている必要はなく、後方欠損部１５の少なくとも一部が、吸収体１０の長手方向における中央領域と後方領域との境界部１０Ａの少なくとも一部に存在すればよい。そうすることで、吸収体１０の長手方向中央領域の変形が後方領域に伝わってしまうことを抑制できる。
【００５１】
また、図４に示すように、長手方向における吸収体１０の中央領域と後方領域の境界部１０Ａにおいて、後側欠損部１５の幅方向の両側に、後側欠損部１５よりも剛性の高い高剛性部１５１が設けられている。高剛性部１５１では、吸収体１０を構成する上層シート１１、吸収性コア１２、及び下層シート１３が存在する。仮に、境界部１０Ａにおいて幅方向の全域に亘って吸収性コア１２等が存在しないと、境界部１０Ａにおいてナプキン１が折れ易く、扱い難くなってしまう。例えばナプキン１の装着途中に、着用者に把持されたナプキン１の長手方向中央領域に対して後方領域が折れると、後方領域が下着の不適当な部位にくっ付いたり、粘着部２１，３１同士がくっついたりしてしまう。そのため、上記のように吸収体１０に高剛性部１５１を設けることで、ナプキン１は扱い易く、装着し易くなる。
【００５２】
また、吸収体１０には、長手方向における中央領域と前方領域の境界部１０Ｂのうち、幅方向における中央部に、幅方向に対して湾曲してくり抜かれた「前側欠損部１６（第２の低剛性部）」が設けられている。そのため、折り誘導部１４による吸収体１０の長手方向中央領域の変形、つまり幅方向の中央部が肌側に突出する変形が、前側欠損部１６にて断たれ、吸収体１０の前方領域に伝わってしまうことを抑制できる。よって、吸収体１０の前方領域では幅方向の中央部が肌側に突出して折れ曲がらず、着用者の下腹部に沿った面形状に変形する。ゆえに、ナプキン１では、着用者の下腹部との間に隙間が生じ難く、排泄物の漏れを抑えられ、着用者に良好なフィット感を付与できる。
【００５３】
そして、前側欠損部１６の幅方向の両側には、上層シート１１、吸収性コア１２、及び下層シート１３が存在する部位であり、前側欠損部１６よりも剛性の高い第２の高剛性部１６１が設けられている。そのため、ナプキン１の長手方向中央領域に対して前側領域が折れ難くなり、ナプキン１は扱い易く、装着し易い。
【００５４】
以上のように、本実施形態のナプキン１は、長手方向の前側から面形状、凸形状（詳しくはＷ字形状）、面形状と順に変化し、着用者の各部（下腹部、股間部、臀部）に適した形状に変形する。なお、排泄物は後側により漏れ易く、ナプキン１の後方領域を臀部にフィットさせることがより重要となる。そのため、吸収体１０に前側欠損部１６を設けずに、後側欠損部１５を設けるだけでもよい。また、前側欠損部１６の幅方向の両側に第２の高剛性部１６１を設けるに限らず、吸収体１０の幅方向の全域に亘って前側欠損部１６を設けてもよい。また、後側欠損部１５と前側欠損部１６とで剛性（存在する部材や目付等）が異なってもよい。
【００５５】
また、後側欠損部１５が高剛性部１５１よりも剛性が低く、前側欠損部１６が第２の高剛性部１６１よりも剛性が低ければよく、例えば、後側欠損部１５や前側欠損部１６において、吸収性コア１２だけ存在させず、上層シート１１及び下層シート１３は存在させてもよい。その他、後側欠損部１５や前側欠損部１６の吸収性コア１２の目付を、高剛性部１５１や第２の高剛性部１６１に比べて低くしてもよい。また、後側欠損部１５や前側欠損部１６の全域に亘って剛性を低くするに限らず、部分的に剛性を低くしてもよい。また、後側欠損部１５及び前側欠損部１６の厚さ方向の一部に切り込みを入れることで剛性を低くしてもよい。後述の後側切欠き部１７及び前側切欠き部１８についても同様に剛性を低くしてもよい。
【００５６】
但し、本実施形態のように、後側欠損部１５及び前側欠損部１６において、吸収性コア１２（液体吸収性繊維）、上層シート１１、及び下層シート１３が存在しないことが好ましい。そうすることで、後側欠損部１５及び前側欠損部１６では、剛性がより低くなり、他の部位の変形に連動し難くなる。そのため、吸収体１０の長手方向中央領域の変形、つまり幅方向の中央部が肌側に突出する変形が、吸収体１０の後方領域や前方領域に伝わってしまうことをより確実に抑えられる。
【００５７】
なお、後側欠損部１５と高剛性部１５１等、吸収体１０の各部の剛性の比較は周知の方法で行えばよい。例えば、吸収体の各部の剛性値として、ガーレー剛軟度によって測定された値をサンプル片の長さで割った値を例示できる。ガーレー剛軟度の測定は、（株）安田精機製作所製のＮｏ３１１のガーレー式柔軟度試験機を用いて、ＪＩＳ−Ｌ１０９６に準拠して測定できる。その他、後側欠損部１５等の低剛性部が高剛性部に比べて、構成する部材が少なくなっていることや、吸収性コア１２の目付が低くなっていることを、目視で比較したり、吸収体１０から低剛性部と高剛性部を切り出して、各部位の質量を面積で除した値（ｇ／ｃｍ２）で比較したりしてもよい。
【００５８】
また、長手方向における吸収体１０の中央領域と後方領域の境界部１０Ａとしては、図４に示すように、後側切欠き部１７の前端１７ａと吸収体１０の後端１０ｂとの間の領域のうち前側半分の領域を例示できる。その他、境界部１０Ａを、吸収体１０の長手方向の中央よりも後側の領域としたり、ウィング部用粘着部３１の後端３１ａと吸収体１０の後端１０ｂとの間の領域のうち前側半分の領域としたり、吸収体１０の長手方向後側の１／３の領域のうち前側半分の領域としたりしてもよい。同様に、長手方向における吸収体１０の中央領域と前方領域の境界部１０Ｂを、前側切欠き部１８の後端１８ｂと吸収体１０の前端１０ａとの間の領域のうち後側半分の領域としたり、吸収体１０の長手方向の中央よりも前側の領域としたり、ウィング部用粘着部３１の前端３１ｂと吸収体１０の前端１０ａとの間の領域のうち後側半分の領域としたり、吸収体１０の長手方向前側の１／３の領域のうち後側半分の領域としたりしてもよい。
【００５９】
また、長手方向においてウィング部３０と重なる吸収体１０の部位に着用者の股間部が位置し易い。そこで、長手方向におけるウィング部用粘着部３１の後側の端３１ａよりも後側に、後側欠損部１５を設け、ウィング部用粘着部３１の前側の端３１ｂよりも前側に、前側欠損部１６を設けるとよい。そうすることで、着用者の股間部と臀部の境界部に後側欠損部１５が位置し易く、着用者の下腹部と股間部の境界部に前側欠損部１６が位置し易く、着用者の各部の境界部にて吸収体１０の変形を切り換えられる。つまり、着用者の下腹部や臀部に当接するナプキン１の部位において、幅方向の中央部が肌側に突出してしまうことを抑制できる。そのため、ナプキン１は、着用者の各部に適した形状により変形し易くなる。但し上記に限らず、ウィング部用粘着部３１の後端３１ａよりも前側に後側欠損部１５が設けられたり、ウィング部用粘着部３１の前端３１ｂよりも後側に前側欠損部１６が設けられたりしてもよい。
【００６０】
また、本実施形態のナプキン１は、個別の包装状態において、図１に示す幅方向に長い２つの折り位置Ｐ１，Ｐ２にて三つ折りにされている。この折り位置Ｐ１，Ｐ２にて、ナプキン１の長手方向における前方領域、及び、後方領域は、中央領域に対して立ち上がり易く、着用者の身体にフィットし易くなっている。そのため、厚さ方向の平面視で、後側欠損部１５の少なくとも一部と折り位置Ｐ２とが重なり、前側欠損部１６の少なくとも一部と折り位置Ｐ１とが重なっているとよい。  
【００６１】
そうすることで、ナプキン１の後方領域の立ち上がりの起点、つまり着用者の股間部と臀部の境界部に後側欠損部１５が位置し易く、ナプキン１の前方領域の立ち上がり起点、つまり着用者の下腹部と股間部の境界部に前側欠損部１６が位置し易く、着用者の各部の境界部にて吸収体１０の変形を切り換えられる。つまり、着用者の下腹部や臀部に当接するナプキン１の部位において、幅方向の中央部が肌側に突出してしまうことを抑制できる。そのため、ナプキン１は、着用者の各部に適した形状により変形し易くなる。但し上記に限らず、長手方向において、後側欠損部１５や前側欠損部１６が折り位置Ｐ１，Ｐ２と重なっていなくてもよい。
【００６２】
また、長手方向における吸収体１０の中央領域と後方領域の境界部１０Ａのうち幅方向の両側部に、上層シート１１、吸収性コア１２及び下層シート１３が切欠かれた「一対の後側切欠き部１７（第３の低剛性部）」が設けられている。後側切欠き部１７は幅方向の内側に凸となる山型形状である。そして、各後側切欠き部１７の長手方向の両側には、上層シート１１、吸収性コア１２、及び下層シート１３が存在する部位であり、後側切欠き部１７よりも剛性の高い第３の高剛性部１７１が設けられている。
【００６３】
同様に、長手方向における吸収体１０の中央領域と前方領域の境界部１０Ｂのうち幅方向の両側部に、上層シート１１、吸収性コア１２及び下層シート１３が切欠かれた「一対の前側切欠き部１８」が設けられている。前側切欠き部１８は幅方向の内側に凸となる山型形状である。そして、各前側切欠き部１８の長手方向の両側には、上層シート１１、吸収性コア１２、及び下層シート１３が存在する部位であり、前側切欠き部１８よりも剛性の高い第４の高剛性部１８１が設けられている。
【００６４】
そのため、一対の後側切欠き部１７及び一対の前側切欠き部１８にて、ナプキン１の長手方向における前方領域、及び、後方領域が、中央領域に対して立ち上がり易く、着用者の身体にフィットし易くなっている。また、前述のように吸収体１０の長手方向中央領域では、断面がＷ字状に変形し（図６参照）、幅方向の側部が立ち上がるが、その側部の立ち上がりが、後側切欠き部１７及び前側切欠き部１８にて断たれ、吸収体１０の後方領域及び前方領域に伝わってしまうことを抑制できる。よって、吸収体１０の後方領域及び前方領域は、着用者の臀部及び下腹部に沿った面形状に変形する。
【００６５】
更に、後側欠損部１５の長手方向の位置と、後側切欠き部１７の長手方向の位置とが、少なくとも一部重なっており、前側欠損部１６の長手方向の位置と、前側切欠き部１８の長手方向の位置とが、少なくとも一部重なっているとよい。そうすることで、ナプキン１の後方領域の立ち上がりの起点、つまり着用者の股間部と臀部の境界部に後側欠損部１５が位置し易く、ナプキン１の前方領域の立ち上がり起点、つまり着用者の下腹部と股間部の境界部に前側欠損部１６が位置し易く、着用者の各部の境界部にて吸収体１０の変形を切り換えられる。つまり、着用者の下腹部や臀部に当接するナプキン１の部位において、幅方向の中央部が肌側に突出してしまうことを抑制できる。そのため、ナプキン１は、着用者の各部に適した形状により変形し易くなる。
【００６６】
但し上記に限らず、吸収体１０に後側切欠き部１７や前側切欠き部１８が設けられていなくてもよい。また、後側欠損部１５と後側切欠き部１７とが長手方向に重ならず、前側欠損部１６と前側切欠き部１８とが長手方向に重ならなくてもよい。
【００６７】
また、図１及び図７に示すように、長手方向における前側欠損部１６の長さＬ１は、長手方向の少なくとも一方側に前側欠損部１６に隣接する吸収体の部位１６２ａ、１６２ｂの厚さＬ２以上であることが好ましい。例えば、前側欠損部１６の長さＬ１が前側に隣接する吸収体の部位１６２ａの厚さＬ２以上である場合、図７Ｂに示すように、前側の隣接部位１６２ａが前側欠損部１６にて立ち上がることができる。また、前側欠損部１６の長さＬ１が後側に隣接する吸収体の部位１６２ｂの厚さＬ２以上である場合、図７Ｃに示すように、前側の隣接部位１６２ａが後側の隣接部位１６２ｂ上に立ち上がることができる。つまり、ナプキン１の長手方向中央領域に対して前方領域が立ち上がる際に、吸収体１０よりも下層のバックシート５が伸ばされるが、上記のように前側欠損部１６の長手方向の長さＬ１を設定することで、前方領域が立ち上がるために必要なバックシート５の長さを確保できる。そのため、ナプキン１の後方領域が立ち上がり易く、着用者の身体にフィットし易い。
【００６８】
同様に、長手方向における後側欠損部１５の長さＬ３が、長手方向の少なくとも一方側に後側欠損部１５に隣接する吸収体１０の部位１５２の厚さＬ２以上であることが好ましい。本実施形態の後側欠損部１５は吸収体１０の後端１０ｂまで達しているので、後側欠損部１５の長さＬ３が前側に隣接する吸収体の部位１５２の厚さＬ２以上であることが好ましい。そうすることで、ナプキン１の後方領域が立ち上がるために必要なバックシート５の長さを確保できるので、ナプキン１の後方領域が立ち上がり易く、着用者の身体にフィットし易い。但し上記に限らず、後側欠損部１５や前側欠損部１６の長手方向の長さＬ１，Ｌ３が、前後の吸収体１０の部位の厚さＬ２より小さくてもよい。
【００６９】
また、後側欠損部１５の形状（平面形状）は、長手方向に細長い形状である。そのため、吸収体１０の後方領域が、着用者の張り出ている臀部に沿って湾曲した面形状に変形し易い。よって、ナプキン１の後方領域が着用者の臀部によりフィットする。
【００７０】
一方、前側欠損部１６の形状（平面形状）は、幅方向に長く、長手方向の前側に凸となる湾曲した形状である。そのため、吸収体１０の前方領域が厚さ方向の非肌側に湾曲して凸となるように変形し易い。よって、ナプキン１の前方領域が、着用者の恥骨付近の膨らんだ部位を包み込むように変形し、着用者の下腹部によりフィットする。
【００７１】
このように後側欠損部１５の形状と前側欠損部１６の形状とを異ならせることで、吸収体１０の前方領域及び後方領域をそれぞれに適した形状に変形させることができる。よって、ナプキン１が着用者の下腹部及び臀部にフィットし易くなる。
【００７２】
但し上記に限らず、後側欠損部１５の形状と前側欠損部１６の形状とが同じであってもよい。また、後側欠損部１５の形状及び前側欠損部１６の形状は図４に示す形状に限らない。例えば、後側欠損部１５の形状が幅方向に長い形状であってもよい。また、前側欠損部１６の形状が、長手方向に長いスリット形状であったり、複数の直線で長手方向の前側に凸となる形状であったりしてもよい。また、両欠損部１５，１６が円形状であってもよい。
【００７３】
また、ナプキン１は厚さ方向の非肌側面に本体部用粘着部２１及びウィング部用粘着部３１を有する。但し、図２に示すように、厚さ方向の平面視で、後側欠損部１５及び前側欠損部１６が、本体部用粘着部２１及びウィング部用粘着部３１と重なっていない。そのため、後側欠損部１５及び前側欠損部１６が位置するナプキン１の部位は、下着等に固定されないので、動きが規制されずに変形の自由度が高い。よって、吸収体１０の長手方向中央領域の変形、つまり幅方向の中央部が肌側に突出する変形が、吸収体１０の前方領域や後方領域に伝わってしまうことをより確実に抑えられる。但し上記に限らず、後側欠損部１５や前側欠損部１６が本体部用粘着部２１と重なっていてもよい。
【００７４】
また、吸収体１０には、厚さ方向に凹んだ部位であり、隣接する部位に比べて吸収性コア１２（液体吸収性繊維）の密度が高い圧搾部４０（凹部）が設けられている。但し、後側欠損部１５及び前側欠損部１６には圧搾部４０が設けられていない。そのため、ナプキン１の前方領域や後方領域が立ち上がったり、ナプキン１の長手方向の各領域がそれぞれに適した形状に変形したりする際に、吸収体１０よりも上層のトップシート３及びセカンドシート４や下層のバックシート５が伸び縮みし易い。よって、ナプキン１が着用者の身体にフィットするように変形し易くなる。また、後側欠損部１５及び前側欠損部１６が位置するナプキン１の部位の剛性を低くでき、変形の自由度を高められる。よって、吸収体１０の長手方向中央領域の変形、つまり幅方向の中央部が肌側に突出する変形が、吸収体１０の前方領域や後方領域に伝わってしまうことをより確実に抑えられる。但し上記に限らず、後側欠損部１５や前側欠損部１６に圧搾部４０が設けられていてもよい。
【００７５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７６】
上記の実施形態では、本発明の吸収性物品を生理用ナプキンとしているがこれに限らず、本発明の吸収性物品を例えばパンティーライナー、尿取りパッド、使い捨ておむつ等に利用してもよい。
【符号の説明】
【００７７】
１  （生理用）ナプキン（吸収性物品）、２  サイドシート、３  トップシート、４  セカンドシート、５  バックシート、１０  吸収体、１０Ａ  吸収体の中央領域と後方領域の境界部、１０Ｂ  吸収体の中央領域と前方領域の境界部、１１  上層シート、１２  吸収性コア（液体吸収性繊維）、１３  下層シート、１４  折り誘導部、１５  後側欠損部（低剛性部）、１５１  高剛性部、１６  前側欠損部（第２の低剛性部）、１６１  第２の高剛性部、１７  後側切欠き部（第３の低剛性部）、１７１  第３の高剛性部、１８  前側切欠き部、１８１  第４の高剛性部、２０  ナプキン本体部、２１  本体部用粘着部（粘着部）、３０  ウィング部、３１  ウィング部用粘着部（粘着部）、４０  圧搾部（凹部）、４１  線状パターン、４２  点状パターン、Ｐ１、Ｐ２  折り位置
【図１】
0006492025.tif 000002
【図２】
0006492025.tif 000003
【図３】
0006492025.tif 000004
【図４】
0006492025.tif 000005
【図５】
0006492025.tif 000006
【図６】
0006492025.tif 000007
【図７】
0006492025.tif 000008